(57)【特許請求の範囲】
【請求項１】
家屋のけらば出隅コーナーにおける破風と鼻隠しとを、屋根勾配に応じて角度可変に接続する破風端部役物において、前記破風板の出隅部を構成する破風部材は、その下端を内側に屈折して下面板を形成し、その出隅側端部を内側に折曲して蓋板を形成してなり、一方、前記鼻隠しの出隅部を構成する鼻隠し部材は、その下端を内側に屈折して下面板を形成すると共に、その出隅側端部を内側に折曲して目隠し板を形成してなり、前記破風部材の上側端部と前記鼻隠し部材の上側端部間を角度可変に接続固定したことを特徴とする破風端部役物。
【請求項２】
破風部材の内面で補強リブと下面板との間にピース取付台座を設け、該ピース取付台座に閉塞ピース片を固定して、破風部材と鼻隠し部材との交差隙間を塞ぐことを特徴とする請求項１記載の破風端部役物。
【発明の詳細な説明】
【０００１】
【発明の属する技術分野】
本発明は破風端部役物に係り、特に、家屋のけらば出隅コーナーにおける破風と鼻隠しとを接続する破風部材と鼻隠し部材とを、角度可変に接続固定することができる破風端部役物に関するものである。
【０００２】
【従来技術とその課題】
従来、折板屋根の軒先方向及びけらば方向に鼻隠し及び破風板を取付けるために、上端破風板取付部及び下端破風板取付部、並びに、これらを連結する縦延部を有するＨ部と、このＨ部における縦延部の横方向に横延部とが形成された折板屋根の鼻隠し及び破風板取付金具に関するものは、例えば、特開平８−３１９７０７号公報に開示されている。
【０００３】
しかしながら、上記折板屋根の鼻隠し及び破風板取付金具は、屋根勾配に対応して鼻隠し及び破風板を固定的に取付けるための取付金具であって、屋根勾配に対応した可変調整可能な機能は無いので融通性に欠けると共に、鼻隠しと破風板とを出隅コーナー部で接続する部材としての機能を有しないので、出隅コーナーにおける仕上り外観が損なわれると云う問題がある。
【０００４】
また、例えば、特開平８−１４４４５４号公報には、けらばカバー下面の下端先端から雨水が吹き出すのを防止するための屋根のコーナー部構造が開示されている。
即ち、図６に分解斜視図で示す如く、軒樋本体６１１と、この軒樋本体６１１の端部に連続して設けられて、けらばの下端部近傍に配置されたけらば収納部６１２とを備え、前記軒樋本体６１１は、建物側の後側壁６１１ａと、外側の前側壁６１１ｂと、両側壁の間の本体底壁６１１ｃとを備え、前記けらば収納部６１２は、けらばカバー６８の下面を下方から覆う収納部底壁６１２ａと、この収納部底壁６１２ａの建物側端部から立設されて前記けらばカバー６８の内側面を臨む内側壁６１２ｂと、前記収納部底壁６１２ａの建物妻側の屋根突出方向の端部から立設されて、けらばカバー６８の側面を外方から覆う外側壁６１２ｃとを備え、このけらば収納部６１２に前記けらばカバー６８の下端部が屋根勾配上方から差し込まれていることを特徴とするものである。
【０００５】
しかしながら、上述の屋根のコーナー部構造は、軒樋本体６１１の出隅部６１２ｄに備えた所定の屋根勾配θを有するけらば収納部６１２を、けらばカバー６８に内挿して出隅部６１２ｄを構成するものであるので、軒樋本体６１１とけらばカバー６８との間は、屋根勾配に対応した可変調整可能な機能は無いので融通性に欠け、各種勾配θのけらば収納部６１２を備えた屋根のコーナー部材を取揃えておき、これを屋根の勾配に応じて都度選定して使用することになるので面倒である。
【０００６】
【課題を解決するための手段】
本発明は上記課題を解決するためのものであって、その要旨は、家屋のけらば出隅コーナーにおける破風と鼻隠しとを、屋根勾配に応じて角度可変に接続する破風端部役物において、前記破風の出隅部を構成する破風部材は、その下端を内側に屈折して下面板を形成し、その出隅側端部を内側に折曲して蓋板を形成してなり、一方、前記鼻隠しの出隅部を構成する鼻隠し部材は、その下端を内側に屈折して下面板を形成すると共に、その出隅側端部を内側に折曲して目隠し板を形成してなり、前記破風部材の上側端部と前記鼻隠し部材の上側端部間を角度可変に接続固定することを特徴とする破風端部役物である。
【０００７】
【発明の実施の形態】
以下、本発明の実施例を図面に基づき具体的に説明する。
図１は、家屋の右側のけらば出隅コーナーに取付ける本発明を展開斜視図で示し、図２は、本発明を取付けた状態を右側面図で示し、図３は、家屋の左側のけらば出隅コーナーに取付ける本発明の一実施例の取付け状態を内側斜視図で示し、図４は、家屋の左側のけらば出隅コーナーに取付ける本発明の他の実施例の取付け状態を内側斜視図で示し、図５は、本発明においてピース取付台座に固定した閉塞ピース片を斜視図で示す。
【０００８】
本発明は、図１及び図３に斜視図で示す如く、家屋のけらば出隅コーナーＡにおける破風１−１と鼻隠し２−１とを、屋根勾配θに応じて角度可変に接続する破風端部役物において、前記破風１−１の出隅部を構成する破風部材１は、その下端を内側に屈折して下面板１１を形成し、その出隅側端部を内側に折曲して蓋板１３を形成してなり、一方、前記鼻隠し２−１の出隅部を構成する鼻隠し部材２は、その下端を内側に屈折して下面板２１を形成すると共に、その出隅側端部を内側に折曲して目隠し板２２を形成してなり、前記破風部材１の上側端部１４と前記鼻隠し部材２の上側端部２３間を角度可変に接続固定することを特徴とするものである。
【０００９】
そしてまた、図４及び図５に内側斜視図で示す如く、前記破風部材２の内面で補強リブ１２と下面板１１との間にピース取付台座３を設け、該ピース取付台座３に閉塞ピース片４を固定して、破風部材１と鼻隠し部材２との交差隙間を塞ぐことを特徴とするものである。
【００１０】
本発明を用いれば、破風部材１の上側端部１４と前記鼻隠し部材２の上側端部２３間を、角度可変に接続固定することができるので、屋根勾配θの大小に関係なく、破風１−１と鼻隠し２−１とが交差するけらば出隅コーナーＡを、一挙に外観仕上り良く取付けることができる。
また、屋根勾配θが大きい場合には、破風部材１の内面に閉塞ピース片４を取付けて、破風部材１と鼻隠し部材２との交差隙間を塞いでけらば出隅コーナーＡを体裁良く仕上げることができる。
【００１１】
【実施例】
（実施例１）
図３に、家屋の左側のけらば出隅コーナーに取付ける破風端部役物の取付け状態を内側斜視図で示す如く、破風１−１の出隅部を構成する破風部材１は、その下端を内側に屈折して下面板１１を形成し、図１に展開斜視図で示す如く、その中程を内側に屈折することにより長手方向の補強リブ１２を形成し、且つ、その出隅側端部を内側に折曲して上記補強リブ１２と同高の蓋板１３を形成してある。
一方、鼻隠し２−１の出隅部を構成する鼻隠し部材２は、その下端を内側に屈折して下面板２１を形成すると共に、その出隅側端部を内側に折曲して目隠し板２２を形成してある。
【００１２】
上記破風部材１の上側端部１４と上記鼻隠し部材２の上側端部２３間を、リベット止孔１５、２４を介し、回動可変にリベット５により取付け、図３に示す如く、屋根勾配θ−１が比較的小さい場合には、破風部材１の下面板１１の出隅側下端部を切り欠き、その切欠端面１１１を鼻隠し部材２の下面板２１の内端面に当接させると、破風部材１に内接する鼻隠し部材２の目隠し板２２によって、けらば出隅コーナーＡに生ずる隙間を塞ぐことができる。
【００１３】
本発明を用いて取付け施工するには、先づ、屋根勾配θ−１に合わせて破風部材１と鼻隠し部材２との角度を設定し、破風部材１の補強リブ１２の溝から屋根出隅の下地材に釘等を打込んで固定するが、この際、予め、破風部材１と鼻隠し部材２の解放端の内面に、各々半分づつが埋込まれるように粘着テープ等を貼着し、その各々に破風継部材１−２と鼻隠し継部材２−２の内半分を固定しておく。
【００１４】
そして、上記破風継部材１−２の外半分に破風板１−１を被せて釘打ち固定すると同時に、上記鼻隠し継部材２−２の外半分に鼻隠し板２−１を被せて釘打ち固定して、家屋のけらば出隅コーナーＡにおける施工を完了する。
【００１５】
（実施例２）
図４に、家屋の左側のけらば出隅コーナーに取付ける破風端部役物の取付け状態を内側斜視図で示す如く、実施例１同様に、破風１−１の出隅部を構成する破風部材１は、その下端を内側に屈折して下面板１１を形成し、その中程を内側に屈折することにより長手方向の補強リブ１２を形成し、且つ、その出隅側端部を内側に折曲して上記補強リブ１２と同高の蓋板１３を形成してある。
一方、鼻隠し２−１の出隅部を構成する鼻隠し部材２は、その下端を内側に屈折して下面板２１を形成すると共に、その出隅側端部を内側に折曲して目隠し板２２を形成してある。
【００１６】
上記破風部材１の上側端部１４と上記鼻隠し部材２の上側端部２３間を、リベット止孔１５、２４を介し、回動可変にリベット５により取付け、図４に示す如く、屋根勾配θ−２が比較的大きい場合には、破風部材１の下面板１１の出隅側下部は、破風部材１に内接する鼻隠し部材２の目隠し板２２によって、けらば出隅コーナーＡに生ずる隙間を塞ぐことができるものの、下面板１１の切欠端面１１１と鼻隠し部材２の下面板２１の内端面との間に隙間ｄを生ずる。
【００１７】
そこで、破風部材１の内面で補強リブ１２と下面板１１との間に、ピース取付台座３の固定片３１を溶接固定してピース取付台座３を取付け、図５に斜視図で示す如く、ビス止め部４２によりピース取付台座３に閉塞ピース片４を固定して、破風部材１と鼻隠し部材２との交差隙間ｄを塞ぐようにしてある。
以下実施例１同様に取付け固定して、家屋のけらば出隅コーナーＡにおける施工を完了する。
【００１８】
上記本発明によって、破風部材１の上側端部１４と前記鼻隠し部材２の上側端部２３間を、角度可変に接続固定することができるので、屋根勾配θが小さい場合（θ−１）にも大きい場合（θ−２）にも一挙に対応させ得ると共に、破風部材１の出隅側端部に形成した蓋板１３及び鼻隠し部材２の出隅側端部に形成した目隠し板２２により、破風１−１と鼻隠し２−１とが交差するけらば出隅コーナーＡを外観良く仕上げることができる。
【００１９】
また、破風１−１の出隅部を構成する破風部材１は、その下端を内側に屈折して下面板１１を形成すると共に、その中程を内側に屈折させて補強リブ１２を形成しておけば、鼻隠し部材２は、その下端を内側に屈折して下面板２１を形成してあることと相俟って、外力に対し機械的強度が大きい。
更に、破風部材１を出隅コーナーＡに釘打ち固定する際に、上記補強リブ１２内に釘を打てば釘頭が目立たず好ましい。
【００２０】
そして、屋根勾配θ−２が大きく下面板１１の切欠端面１１１と鼻隠し部材２の下面板２１の内端面との間に隙間ｄを生じても、破風部材１の内面に閉塞ピース片４を取付けて、破風部材１と鼻隠し部材２との交差隙間を塞ぐことができるので、けらば出隅コーナーＡを体裁良く仕上げることができる。
【００２１】
【発明の効果】
本発明は上記構成よりなるので下記効果を奏する。
即ち、本発明を用いれば、破風部材の上側端部と前記鼻隠し部材の上側端部間を、角度可変に接続固定することができるので、屋根勾配の大小に関係なく、破風と鼻隠しとが交差するけらば出隅コーナーを仕上り外観良く一挙に取付けることができ、また、屋根勾配が大きい場合には、破風部材の内面に閉塞ピース片を取付けて、破風部材と鼻隠し部材との交差隙間を塞いでけらば出隅コーナーを体裁良く仕上げることができるものである。
【図面の簡単な説明】
【図１】家屋の右側のけらば出隅コーナーに取付ける本発明を展開斜視図で示す。
【図２】本発明を取付けた状態を右側面図で示す。
【図３】家屋の左側のけらば出隅コーナーに取付ける本発明の一実施例の取付け状態を内側斜視図で示す。
【図４】家屋の左側のけらば出隅コーナーに取付ける本発明の他の実施例の取付け状態を内側斜視図で示す。
【図５】本発明においてピース取付台座に固定した閉塞ピース片を斜視図で示す。
【図６】従来技術の例を分解斜視図で示す。
【符号の説明】
１      破風部材
１−１  破風
１−２  破風継部材
１１    下面板
１１１  切欠端面
１２    補強リブ
１３    蓋板
１４    上側端部
１５    リベット止孔
２      鼻隠し部材
２−１  鼻隠し
２−２  鼻隠し継部材
２１    下面板
２２    目隠し板
２３    上側端部
２４    リベット止孔
３      ピース取付台座
３１    固定片
４      閉塞ピース片
４１    閉塞板
４２    ビス止め部
５      リベット
Ａ      けらば出隅コーナー
【図１】
0003673053.tif 000002
【図２】
0003673053.tif 000003
【図３】
0003673053.tif 000004
【図４】
0003673053.tif 000005
【図５】
0003673053.tif 000006
【図６】
0003673053.tif 000007